(57)【要約】【課題】印影画像に応じた情報画像を合成する場合にあって、印影画像を判別可能として、情報画像の認識率低下を抑制するようにした画像処理装置を提供する。【解決手段】画像処理装置の印影認識手段は、画像内から印影画像を認識し、方針決定手段は、前記印影認識手段によって認識された印影画像に対応する対応方針を決定し、印影抽出手段は、前記画像から前記印影認識手段によって認識された印影画像を抽出し、画像作成手段は、前記方針決定手段によって決定された対応方針、前記印影抽出手段によって抽出された印影画像、前記画像から該印影画像を削除した画像に基づいて、対応方針付き画像を作成する。【選択図】図１
2010147923.tif 000002
【特許請求の範囲】
【請求項１】
画像内から印影画像を認識する印影認識手段と、
前記印影認識手段によって認識された印影画像に対応する対応方針を決定する方針決定手段と、
前記画像から前記印影認識手段によって認識された印影画像を抽出する印影抽出手段と、
前記方針決定手段によって決定された対応方針、前記印影抽出手段によって抽出された印影画像、前記画像から該印影画像を削除した画像に基づいて、対応方針付き画像を作成する画像作成手段と、
前記画像作成手段によって作成された対応方針付き画像を登録する登録手段と、
前記登録手段によって登録されている対応方針付き画像を受け付ける受付手段と、
前記受付手段によって受け付けられた対応方針付き画像に基づいて、前記対応方針に関する情報を表す情報画像を生成する情報画像生成手段と、
前記情報画像生成手段によって生成された情報画像及び前記印影画像を前記画像に合成する合成手段と、
前記合成手段によって合成された合成画像を出力する出力手段
を具備することを特徴とする画像処理装置。
【請求項２】
画像内から印影画像を認識する印影認識手段と、
前記印影認識手段によって認識された印影画像に対応する対応方針を決定する方針決定手段と、
前記画像から前記印影認識手段によって認識された印影画像を抽出する印影抽出手段と、
前記方針決定手段によって決定された対応方針、前記印影抽出手段によって抽出された印影画像、前記画像から該印影画像を削除した画像に基づいて、対応方針付き画像を作成する画像作成手段
を具備することを特徴とする画像処理装置。
【請求項３】
対応方針、印影画像、画像に基づいて作成された対応方針付き画像を受け付ける受付手段と、
前記受付手段によって受け付けられた対応方針付き画像に基づいて、前記対応方針に関する情報を表す情報画像を生成する情報画像生成手段と、
前記情報画像生成手段によって生成された情報画像及び前記印影画像を前記画像に合成する合成手段と、
前記合成手段によって合成された合成画像を出力する出力手段
を具備することを特徴とする画像処理装置。
【請求項４】
前記印影画像と前記対応方針が対応していない場合は、該対応方針に基づいて印影画像を生成する印影画像生成手段
をさらに具備し、
前記合成手段は、前記情報画像生成手段によって生成された情報画像及び前記印影画像生成手段によって生成された印影画像を前記画像に合成する
ことを特徴とする請求項３に記載の画像処理装置。
【請求項５】
前記合成手段は、合成する対象である前記情報画像と前記印影画像を重ね合わせて合成しなければならない場合に、該印影画像に対して画像処理を行った後に合成を行う
ことを特徴とする請求項１、３又は４のいずれか一項に記載の画像処理装置。
【請求項６】
コンピュータを、
画像内から印影画像を認識する印影認識手段と、
前記印影認識手段によって認識された印影画像に対応する対応方針を決定する方針決定手段と、
前記画像から前記印影認識手段によって認識された印影画像を抽出する印影抽出手段と、
前記方針決定手段によって決定された対応方針、前記印影抽出手段によって抽出された印影画像、前記画像から該印影画像を削除した画像に基づいて、対応方針付き画像を作成する画像作成手段
として機能させることを特徴とする画像処理プログラム。
【請求項７】
コンピュータを、
対応方針、印影画像、画像に基づいて作成された対応方針付き画像を受け付ける受付手段と、
前記受付手段によって受け付けられた対応方針付き画像に基づいて、前記対応方針に関する情報を表す情報画像を生成する情報画像生成手段と、
前記情報画像生成手段によって生成された情報画像及び前記印影画像を前記画像に合成する合成手段と、
前記合成手段によって合成された合成画像を出力する出力手段
として機能させることを特徴とする画像処理プログラム。
【発明の詳細な説明】
【技術分野】
【０００１】
本発明は、画像処理装置及び画像処理プログラムに関する。
【背景技術】
【０００２】
文書等の画像に他の画像を合成することが行われている。その場合に２つの画像が重なってしまうことが生じてしまう。その重なりを発生させないために、文書等の画像に余白領域を生成すること等が行われている。
【０００３】
これに関連する技術として、例えば、特許文献１には、原画像を損なうことなく、特定画像を容易に認識できるように合成して、記録することを課題とし、入力された原画像に対して、１ページ内における余白領域の有無を判別し、余白領域があるとき、特定画像を形成できる大きさの余白領域を確保できるかを判断し、確保可能であると、原画像をシフトし、余白領域が無いとき、あるいは確保できないとき、原画像を縮小して、余白領域を確保し、この余白領域に特定画像を形成して、原画像に特定画像を合成し、合成された画像を１ページの記録紙に印刷して出力することが開示されている。
【特許文献１】特開２００７−１９４９９７号公報
【発明の開示】
【発明が解決しようとする課題】
【０００４】
ところで、印影画像に応じた情報画像を合成する場合、印影画像と情報画像が重なり合ってしまう場合がある。そのような場合に、情報画像を上にした重なり合成を行うと、印影画像を判別することができなくなり、印影画像を上にした重なり合成を行うと、情報画像の認識率が低下してしまう。
本発明は、印影画像に応じた情報画像を合成する場合にあって、印影画像を判別可能として、情報画像の認識率低下を抑制するようにした画像処理装置及び画像処理プログラムを提供することを目的としている。
【課題を解決するための手段】
【０００５】
かかる目的を達成するための本発明の要旨とするところは、次の各項の発明に存する。
請求項１の発明は、画像内から印影画像を認識する印影認識手段と、前記印影認識手段によって認識された印影画像に対応する対応方針を決定する方針決定手段と、前記画像から前記印影認識手段によって認識された印影画像を抽出する印影抽出手段と、前記方針決定手段によって決定された対応方針、前記印影抽出手段によって抽出された印影画像、前記画像から該印影画像を削除した画像に基づいて、対応方針付き画像を作成する画像作成手段と、前記画像作成手段によって作成された対応方針付き画像を登録する登録手段と、前記登録手段によって登録されている対応方針付き画像を受け付ける受付手段と、前記受付手段によって受け付けられた対応方針付き画像に基づいて、前記対応方針に関する情報を表す情報画像を生成する情報画像生成手段と、前記情報画像生成手段によって生成された情報画像及び前記印影画像を前記画像に合成する合成手段と、前記合成手段によって合成された合成画像を出力する出力手段を具備することを特徴とする画像処理装置である。
【０００６】
請求項２の発明は、画像内から印影画像を認識する印影認識手段と、前記印影認識手段によって認識された印影画像に対応する対応方針を決定する方針決定手段と、前記画像から前記印影認識手段によって認識された印影画像を抽出する印影抽出手段と、前記方針決定手段によって決定された対応方針、前記印影抽出手段によって抽出された印影画像、前記画像から該印影画像を削除した画像に基づいて、対応方針付き画像を作成する画像作成手段を具備することを特徴とする画像処理装置である。
【０００７】
請求項３の発明は、対応方針、印影画像、画像に基づいて作成された対応方針付き画像を受け付ける受付手段と、前記受付手段によって受け付けられた対応方針付き画像に基づいて、前記対応方針に関する情報を表す情報画像を生成する情報画像生成手段と、前記情報画像生成手段によって生成された情報画像及び前記印影画像を前記画像に合成する合成手段と、前記合成手段によって合成された合成画像を出力する出力手段を具備することを特徴とする画像処理装置である。
【０００８】
請求項４の発明は、前記印影画像と前記対応方針が対応していない場合は、該対応方針に基づいて印影画像を生成する印影画像生成手段をさらに具備し、前記合成手段は、前記情報画像生成手段によって生成された情報画像及び前記印影画像生成手段によって生成された印影画像を前記画像に合成することを特徴とする請求項３に記載の画像処理装置である。
【０００９】
請求項５の発明は、前記合成手段は、合成する対象である前記情報画像と前記印影画像を重ね合わせて合成しなければならない場合に、該印影画像に対して画像処理を行った後に合成を行うことを特徴とする請求項１、３又は４のいずれか一項に記載の画像処理装置である。
【００１０】
請求項６の発明は、コンピュータを、画像内から印影画像を認識する印影認識手段と、前記印影認識手段によって認識された印影画像に対応する対応方針を決定する方針決定手段と、前記画像から前記印影認識手段によって認識された印影画像を抽出する印影抽出手段と、前記方針決定手段によって決定された対応方針、前記印影抽出手段によって抽出された印影画像、前記画像から該印影画像を削除した画像に基づいて、対応方針付き画像を作成する画像作成手段として機能させることを特徴とする画像処理プログラムである。
【００１１】
請求項７の発明は、コンピュータを、対応方針、印影画像、画像に基づいて作成された対応方針付き画像を受け付ける受付手段と、前記受付手段によって受け付けられた対応方針付き画像に基づいて、前記対応方針に関する情報を表す情報画像を生成する情報画像生成手段と、前記情報画像生成手段によって生成された情報画像及び前記印影画像を前記画像に合成する合成手段と、前記合成手段によって合成された合成画像を出力する出力手段として機能させることを特徴とする画像処理プログラムである。
【発明の効果】
【００１２】
請求項１の画像処理装置によれば、印影画像に応じた情報画像を合成する場合にあって、印影画像を判別可能として、情報画像の認識率低下を抑制できる。
【００１３】
請求項２の画像処理装置によれば、印影画像が含まれている画像から対応方針付き画像を作成する場合にあって、その印影画像に応じた情報画像を合成しても、印影画像を判別可能として、情報画像の認識率低下を抑制できるような画像を作成できる。
【００１４】
請求項３の画像処理装置によれば、印影画像に応じた情報画像を合成する場合にあって、印影画像を判別可能として、情報画像の認識率低下を抑制できる。
【００１５】
請求項４の画像処理装置によれば、対応方針付き画像を作成した後に対応方針が変更された場合であっても、その対応方針に対応した印影画像を合成することができる。
【００１６】
請求項５の画像処理装置によれば、原画像を画像処理する場合に比較して、画像処理の負荷を低減することができる。
【００１７】
請求項６の画像処理プログラムによれば、印影画像が含まれている画像から対応方針付き画像を作成する場合にあって、その印影画像に応じた情報画像を合成しても、印影画像を判別可能として、情報画像の認識率低下を抑制できるような画像を作成できる。
【００１８】
請求項７の画像処理プログラムによれば、印影画像に応じた情報画像を合成する場合にあって、印影画像を判別可能として、情報画像の認識率低下を抑制できる。
【発明を実施するための最良の形態】
【００１９】
以下、図面に基づき本発明を実現するにあたっての好適な各種の実施の形態の例を説明する。
図１は、第１の実施の形態（カプセル化文書作成装置である画像処理装置）の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、コンピュータ・プログラム、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するの意である。また、モジュールは機能にほぼ一対一に対応しているが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係等）の場合にも用いる。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。「予め定められた」とは、対象としている処理の前であることをいい、本実施の形態による処理が始まる前はもちろんのこと、本実施の形態による処理が始まった後であっても、そのときの状況・状態に応じて、又はそれまでの状況・状態に応じて定まることの意を含めて用いる。
【００２０】
本実施の形態である画像処理装置（カプセル化文書作成装置）は、画像内から印影画像を認識し、その認識結果に基づいて対応方針であるポリシーを決定して、カプセル化電子文書を作成するものであって、図１に示すように、画像受付モジュール１１０、印影画像認識モジュール１２０、対応ポリシー提示モジュール１３０、ポリシー確認受付モジュール１４０、ポリシー確認モジュール１５０、印影画像オブジェクト生成モジュール１６０、カプセル化電子文書作成モジュール１７０、出力モジュール１８０を有している。
【００２１】
画像受付モジュール１１０は、印影画像認識モジュール１２０と接続されており、画像を受け付けて、その画像を印影画像認識モジュール１２０へ渡す。画像を受け付けるとは、スキャナで画像を読み込むこと、ファックスで画像を受信すること、画像データベース（本画像処理装置に内蔵されているものの他に、ネットワークを介して接続されているもの等を含む）等から画像を読み出すこと等が含まれる。画像には、印影画像が含まれている。その画像は、１枚であってもよいし、複数枚であってもよい。また、画像の内容として、ビジネスに用いられる文書、広告宣伝用のパンフレット等であってもよい。また、画像は、２値画像であってもよいし、多値画像（カラー画像を含む）であってもよい。
受け付ける画像としては、例えば、図５に示すような画像５００であってもよい。図５は、印影付き画像の一例を示す説明図である。画像５００はビジネスに用いられる文書であり、スタンプで押印された印影画像５０１のような印影画像がある。図６は、その印影画像５０１の具体的な印影画像例を示す説明図である。例えば、赤色で押印されている。
【００２２】
印影画像認識モジュール１２０は、画像受付モジュール１１０、対応ポリシー提示モジュール１３０と接続されており、画像受付モジュール１１０によって受け付けられた画像内から印影画像を認識する。そして、その認識結果（印影画像の種類、例えば、社外秘、極秘等）を対応ポリシー提示モジュール１３０へ渡す。
印影画像認識モジュール１２０は、まず、画像内から印影画像を抽出する。その抽出方法としては、例えば、その印影画像に用いられている色（例えば、赤等）の画像領域を抽出する、予め定められた位置（例えば、右上等）にあり、予め定められた面積の閉領域を抽出する等がある。そして、その抽出した印影画像を認識する。印影画像の認識として、例えば、予め登録されている印影画像と照合を行い、この登録印影画像と照合する度合が予め定められた閾値よりも高い印影画像は、登録印影画像と合致すると認識する。また、特徴抽出（色、形状、面積、画素塊の数等）を行い、認識対象の印影画像と登録印影画像との特徴空間における距離を計算して、認識を行うようにしてもよい。
【００２３】
対応ポリシー提示モジュール１３０は、印影画像認識モジュール１２０、ポリシー確認モジュール１５０と接続されており、印影画像認識モジュール１２０によって認識された印影画像に対応するポリシーを画像処理装置に備え付けられているディスプレイ等に提示する。次に、ポリシー確認受付モジュール１４０、ポリシー確認モジュール１５０による処理を行う。
ここで、ポリシーとは、画像毎に、その画像をどのように取り扱うべきか（運用ルール等）を設定するための情報であり、例えば、その画像のセキュリティに関する情報（禁複写、禁閲覧、アクセス権の設定等）等がある。このポリシーに従って、その画像を取り扱うシステムでは動作制御されることになる。
ポリシーの提示のために、例えば、予め定められた印影画像とポリシーとを対応させたテーブルを用意しており、そのテーブルを検索することによって対象候補となるポリシーを決定するようにしてもよい。
【００２４】
ポリシー確認受付モジュール１４０は、ポリシー確認モジュール１５０と接続されており、対応ポリシー提示モジュール１３０によって提示されたポリシーがその印影画像に対応するものであるか否かを、操作者に確認させるため、確認結果としての操作を受け付ける。誤っている場合は、操作者の操作に応じて、ポリシーの変更が行われる。その確認結果をポリシー確認モジュール１５０に渡す。
ポリシー確認モジュール１５０は、対応ポリシー提示モジュール１３０、ポリシー確認受付モジュール１４０、印影画像オブジェクト生成モジュール１６０と接続されている。対応ポリシー提示モジュール１３０によって提示されたポリシーが妥当であるか否かをポリシー確認受付モジュール１４０からの確認結果に基づいて判断して、その画像のポリシーを決定する。
なお、ポリシー確認受付モジュール１４０、ポリシー確認モジュール１５０による処理を行わずに、画像のポリシーを決定するようにしてもよい。例えば、印影画像認識モジュール１２０による認識の確信度が予め定められた閾値以上であれば、操作者による確認を省略してもよい。
【００２５】
印影画像オブジェクト生成モジュール１６０は、ポリシー確認モジュール１５０、カプセル化電子文書作成モジュール１７０と接続されており、ポリシー確認モジュール１５０によってポリシーが決定された画像から印影画像認識モジュール１２０によって認識された印影画像を抽出する。その印影画像を、対応方針付き画像における印影画像オブジェクトとして生成する。例えば、図６の例に示す印影画像５０１のような印影画像を印影画像オブジェクトとして生成する。ここで、印影画像オブジェクトとは、画像に付与されている印影画像であり、その画像と印影画像とが対応していればよい。そして、生成した印影画像オブジェクトをカプセル化電子文書作成モジュール１７０に渡す。
【００２６】
カプセル化電子文書作成モジュール１７０は、印影画像オブジェクト生成モジュール１６０、出力モジュール１８０と接続されており、ポリシー確認モジュール１５０によって決定された対応方針、印影画像オブジェクト生成モジュール１６０によって抽出された印影画像、画像受付モジュール１１０によって受け付けられた画像から印影画像を削除した画像に基づいて、対応方針付き画像の一例であるカプセル化電子文書を作成する。印影画像を削除した画像とは、例えば、図５の画像５００に対して、図７に示す画像７００である。図７は、印影付き画像から印影画像を削除した画像の一例を示す説明図である。カプセル化電子文書とは、対応方針、印影画像、印影画像を削除した画像を結びつけ、１つの電子文書としたものであり、それを機能の単位としたものである。より具体的な例として、印影画像を削除した画像に対して処理（印刷、複写等）を行う場合に、対応付けられた方針に従う。その場合に、対応付けられた印影画像を用いる場合がある。そして、作成したカプセル化電子文書を出力モジュール１８０に渡す。
出力モジュール１８０は、カプセル化電子文書作成モジュール１７０と接続されており、カプセル化電子文書作成モジュール１７０によって作成されたカプセル化電子文書を出力する。ここでの出力とは、例えば、他の文書システム（本画像処理装置に内蔵されているものの他に、ネットワークを介して接続されているもの等を含む）等に電子文書として登録することが該当する。
【００２７】
図２は、第１の実施の形態（合成文書出力装置である画像処理装置）の構成例についての概念的なモジュール構成図を示している。図１の例に示した画像処理装置によって作成されたカプセル化電子文書に情報画像を付加して出力（例えば、印刷）するものであって、図２に示すように、画像出力要求受付モジュール２１０、復号モジュール２２０、情報画像生成モジュール２３０、情報画像合成モジュール２４０、印影画像オブジェクト合成モジュール２５０、画像提示モジュール２６０、画像確認受付モジュール２７０、画像確認モジュール２８０、画像出力モジュール２９０を有している。
【００２８】
画像出力要求受付モジュール２１０は、復号モジュール２２０と接続されており、図１の例に示した画像処理装置の出力モジュール１８０によって登録されているカプセル化電子文書を受け付ける。この受け付けたカプセル化電子文書は出力要求があったものである。出力要求があったカプセル化電子文書の選択は、例えば、操作者の操作による選択、プログラム等で予め定められたものを選択等するようにしてもよい。そして、その出力要求のあったカプセル化電子文書を他の文書システムから取り出して、復号モジュール２２０へ渡す。
【００２９】
復号モジュール２２０は、画像出力要求受付モジュール２１０、情報画像生成モジュール２３０と接続されており、画像出力要求受付モジュール２１０から受け取ったカプセル化電子文書に基づいて、対応付けられたポリシーを取得する。例えば、カプセル化電子文書におけるカプセルを復号して、対応付けられているポリシーを取得する。そして、そのポリシーを情報画像生成モジュール２３０に渡す。
【００３０】
情報画像生成モジュール２３０は、復号モジュール２２０、情報画像合成モジュール２４０と接続されており、復号モジュール２２０から受け取ったポリシーに関する情報を表す情報画像を生成する。ここで、ポリシーに関する情報とは、そのカプセル化電子文書に対応付けられたポリシーを取り出すための情報であり、例えば、そのポリシーの内容そのものであってもよいし、そのカプセル化電子文書を特定する識別子であってもよい。カプセル化電子文書の識別子である場合は、その識別子とポリシーが対応付けられたテーブルを用意しており、識別子からポリシーを検索し得るようにしていればよい。また、情報画像とは、機械可読な態様で電子データを表すために体系的に作られた画像コードをいい、具体的には、１次元バーコード、２次元コード等がある。２次元コードとして、ＱＲコード（Ｑｕｉｃｋ  Ｒｅｓｐｏｎｓｅ  ｃｏｄｅ）等がある。そして、生成した情報画像を情報画像合成モジュール２４０に渡す。
【００３１】
情報画像合成モジュール２４０は、情報画像生成モジュール２３０、印影画像オブジェクト合成モジュール２５０と接続されており、情報画像生成モジュール２３０によって生成された情報画像を、カプセル化電子文書に対応付けられた画像に合成する。合成する位置は、その画像内の空白領域であり、この空白領域には、印影画像が削除された領域を含めてもよい。また、予め定められた位置に優先して合成するようにしてもよく、その位置が空白領域でない場合は、距離的に近い空白領域に合成するようにしてもよい。また、１箇所でなく、複数箇所に合成してもよい。そして、情報画像を合成した画像を印影画像オブジェクト合成モジュール２５０に渡す。
【００３２】
印影画像オブジェクト合成モジュール２５０は、情報画像合成モジュール２４０、画像提示モジュール２６０、画像確認モジュール２８０と接続されている。情報画像合成モジュール２４０によって情報画像が合成された画像に、カプセル化電子文書に対応付けられた印影画像オブジェクトを用いて、印影画像を合成する。合成する位置は、情報画像が既に合成された画像内の空白領域である。また、１箇所でなく、複数箇所に合成してもよい。そして、印影画像が合成された画像を画像提示モジュール２６０に渡す。
また、印影画像オブジェクト合成モジュール２５０は、画像確認モジュール２８０からの指示に基づいて、カプセル化電子文書に対応付けられた印影画像オブジェクトとは異なる印影画像を合成するようにしてもよい。つまり、先に合成された印影画像とは異なる印影画像を合成するようにしてもよい。そして、印影画像が合成された画像を画像提示モジュール２６０に渡す。
【００３３】
また、印影画像オブジェクト合成モジュール２５０は、合成する対象である情報画像と印影画像を重ね合わせて合成しなければならない場合に、その印影画像に対して画像処理を行った後に合成を行うようにしてもよい。「合成する対象である情報画像と印影画像を重ね合わせて合成しなければならない場合」とは、例えば、情報画像を合成する位置に印影画像を合成する位置が重なる場合（一部の領域が重なる場合を含む）、情報画像と印影画像を重ならずに合成するための空白領域が文書画像にない場合等がある。「印影画像に対して行う画像処理」とは、例えば、空白領域に印影画像が収まるように、その印影画像を文書画像内で移動する処理、縮小する処理、回転する処理等のアフィン変換処理を行うこと、その印影画像に透過処理を行うこと等がある。透過処理とは、重ね合わせる下の画像も見えるようにする処理である。より具体的な例として、印影画像内の白領域を白色の画素として重ね合わせるのではなく、下の画像を見えるように透過させてもよい。また、印影画像と下の画像との論理和処理によって合成（ＯＲ合成）するようにしてもよい。ただし、重ね合わせる下の画像には、情報画像を含めないようにし、カプセル化電子文書に対応付けられた元の画像と印影画像を重ね合わせる。
【００３４】
画像提示モジュール２６０は、印影画像オブジェクト合成モジュール２５０、画像確認モジュール２８０と接続されており、印影画像オブジェクト合成モジュール２５０によって印影画像が合成された画像を、画像処理装置に備え付けられているディスプレイ等に提示する。提示する画像は、縮小画像（サムネイル画像）であってもよい。次に、画像確認受付モジュール２７０、画像確認モジュール２８０による処理を行う。
【００３５】
画像確認受付モジュール２７０は、画像確認モジュール２８０と接続されており、画像提示モジュール２６０によって提示された画像で出力してもよいか否かを、操作者に確認させるため、確認結果としての操作を受け付ける。例えば、印影画像の位置が適した位置でない場合は、操作者の操作に応じて、その位置の変更が行われる。その確認結果を画像確認モジュール２８０に渡す。
画像確認モジュール２８０は、印影画像オブジェクト合成モジュール２５０、画像提示モジュール２６０、画像確認受付モジュール２７０、画像出力モジュール２９０と接続されている。画像提示モジュール２６０によって提示された画像で出力すべきか否かを画像確認受付モジュール２７０からの確認結果に基づいて判断して、出力すべき画像を決定する。出力すべき画像でない場合は、操作者の操作に応じて、画像の変更が行われる。出力すべき画像を画像出力モジュール２９０に渡す。
なお、画像確認受付モジュール２７０、画像確認モジュール２８０による処理を行わずに、出力すべき画像を決定するようにしてもよい。例えば、元の画像の空白領域に情報画像と印影画像が重ならないように合成された状態であれば、操作者による確認を省略してもよい。
【００３６】
画像出力モジュール２９０は、画像確認モジュール２８０と接続されている。画像確認モジュール２８０によって決定された画像（つまり、情報画像と印影画像とが合成された画像）を出力する。ここで画像を出力するとは、プリンタ等の印刷装置で印刷すること、ディスプレイ等の表示装置に表示すること、ファックス等の画像送信装置で画像を送信すること、画像データベース等の画像記憶装置へ画像を書き込むこと等が含まれる。
【００３７】
図３は、本実施の形態（第１の実施の形態、第２の実施の形態）を実現するためのシステム構成例を示す説明図である。
画像処理装置３１０、ポリシーサーバ３２０、クライアントＰＣ３３０、ログサーバ３４０は、通信回線３９０を介してそれぞれ接続されている。また、それぞれは複数あってもよい。
【００３８】
図１の例に示したカプセル化文書作成装置、図２の例に示した合成文書出力装置は、画像処理装置３１０に構築されている。画像内の印影画像を認識して、ポリシーサーバ３２０等を用いて、その印影画像に対応するポリシーを画像に付与して、カプセル化電子文書を作成する。そして、そのカプセル化電子文書に対応付けられている画像に情報画像を付して出力する。なお、画像処理装置３１０が複数ある場合は、カプセル化文書作成装置だけが構築された画像処理装置３１０、合成文書出力装置だけが構築された画像処理装置３１０であってもよい。画像処理装置３１０は、より具体的な例として、複写機、ファックス、複合機（スキャナ、プリンタ、複写機、ファックス等のいずれか２つ以上の機能を有している画像処理装置）などに組み込まれていてもよい。
【００３９】
ポリシーサーバ３２０は、画像処理装置３１０によって画像に付与されるポリシーを管理するサーバであり、ポリシーの内容、印影画像との関係（例えば、後述するポリシーテーブル１３００、スタンプテーブル１５００）、画像の識別子とポリシーとの対応付け（例えば、後述するポリシー・文書対応テーブル１４００）等を管理する。
【００４０】
クライアントＰＣ３３０では、操作者による操作によって、カプセル化電子文書に対しての処理が行われる。例えば、カプセル化電子文書の閲覧、編集、印刷等の処理がある。
ログサーバ３４０は、クライアントＰＣ３３０等によって行われるカプセル化電子文書に対する操作者による操作等のログ（例えば、後述するログテーブル１６００）を記録する。
【００４１】
図４は、第１の実施の形態（カプセル化文書作成装置）による処理例を示すフローチャートである。
ステップＳ４０２では、画像受付モジュール１１０が、印影画像が含まれている画像を受け付ける。
図４の例に示すフローチャートによる具体的な処理例について、図８を用いて説明する。図８は、第１の実施の形態（カプセル化文書作成装置）による処理例を示す説明図である。ステップＳ４０２で受け付けた画像として、例えば、図８（ａ）に示すような画像５００がある。画像５００には、印影画像５０１が含まれている。
【００４２】
ステップＳ４０４では、印影画像認識モジュール１２０が、その画像内の印影画像を認識する。画像内の印影画像と登録印影画像との照合を行う場合について説明する。例えば、登録印影画像は、ポリシーサーバ３２０内のスタンプテーブル１５００の参照用スタンプ画像ファイル欄１５２０に記憶されているＵＲＬ（Ｕｎｉｆｏｒｍ  Ｒｅｓｏｕｒｃｅ  Ｌｏｃａｔｏｒ）先に記憶されている。図１５は、スタンプテーブル１５００のデータ構造例を示す説明図である。スタンプテーブル１５００は、スタンプＩＤ欄１５１０、参照用スタンプ画像ファイル欄１５２０を有している。スタンプＩＤ欄１５１０は、その印影画像を特定する識別子（スタンプＩＤ）を記憶している。参照用スタンプ画像ファイル欄１５２０は、その印影画像を記憶している場所を示すＵＲＬを記憶している。なお、参照用スタンプ画像ファイル欄１５２０は、印影画像を記憶している場所を示すものであればよく、ＵＲＬの他にＵＲＩ（Ｕｎｉｆｏｒｍ  Ｒｅｓｏｕｒｃｅ  Ｉｄｅｎｔｉｆｉｅｒ、ＲＦＣ  １６３０で規定）等であってもよい。そして、印影画像認識モジュール１２０は、登録印影画像をそのＵＲＬから取り出して、画像内の印影画像と照合して、予め定められた閾値以上の照合度合である登録印影画像のスタンプＩＤを認識結果として得る。
なお、スタンプテーブル１５００は、印影画像認識モジュール１２０による印影画像の認識だけでなく、印影画像オブジェクト合成モジュール２５０による印影画像の合成処理の場合に用いられてもよい。
【００４３】
ステップＳ４０６では、対応ポリシー提示モジュール１３０が、その認識結果に基づいて、対応ポリシーを提示する。例えば、対応ポリシー提示モジュール１３０は、認識結果（スタンプＩＤ）に対応する、ポリシーサーバ３２０内のポリシーテーブル１３００のＮａｍｅ欄１３１２に記憶されているポリシー名を提示する。また、ポリシーの内容（例えば、文書欄１３２０内の権利）を提示するようにしてもよい。
【００４４】
図１３は、ポリシーテーブル１３００のデータ構造例を示す説明図である。ポリシーテーブル１３００は、ポリシー欄１３１０、文書欄１３２０、スタンプ欄１３３０を有している。ポリシー欄１３１０は、ＩＤ欄１３１１、Ｎａｍｅ欄１３１２、操作権欄１３１３を有している。文書欄１３２０は、閲覧権欄１３２１、編集権欄１３２２、印刷権欄１３２３を有している。スタンプ欄１３３０は、ＩＤ欄１３３１を有している。
ＩＤ欄１３１１は、そのポリシーを特定する識別子（ポリシーＩＤ）を記憶している。
Ｎａｍｅ欄１３１２は、そのポリシーの名称を記憶している。例えば、操作者による確認のために、画像処理装置のディスプレイへの提示等に用いられる。
操作権欄１３１３は、そのポリシーに対して変更等の修正が可能な操作権を有している操作者（ユーザＩＤ）を記憶している。
閲覧権欄１３２１は、そのポリシーが付与されているカプセル化電子文書（画像）に対しての閲覧権を有している操作者（ユーザＩＤ、閲覧可能な操作者）を記憶している。
編集権欄１３２２は、そのポリシーが付与されているカプセル化電子文書（画像）に対しての編集権を有している操作者（ユーザＩＤ、編集可能な操作者）を記憶している。
印刷権欄１３２３は、そのポリシーが付与されているカプセル化電子文書（画像）に対しての印刷権を有している操作者（ユーザＩＤ、印刷可能な操作者）を記憶している。
ＩＤ欄１３３１は、そのポリシーに対応するスタンプＩＤを記憶している。つまり、そのスタンプＩＤで表される印影画像（スタンプテーブル１５００参照）がある画像は、対応するポリシーが付与されることになる。
なお、文書欄１３２０には、その他の権利を追加してもよいし、閲覧権欄１３２１、編集権欄１３２２、印刷権欄１３２３のうちの１つ又は２つであってもよい。
【００４５】
ステップＳ４０８では、ポリシー確認受付モジュール１４０が、操作者による確認結果（対応するポリシーが妥当であるか否か）を受け付ける。
ステップＳ４１０では、ポリシー確認モジュール１５０が、確認結果に基づいて、付与するポリシーとして決定するか否かを判断する。付与する場合はステップＳ４１２へ進み、それ以外の場合は印影画像を認識するための閾値等の変更を行ってステップＳ４０４へ戻る。
ステップＳ４１２では、印影画像オブジェクト生成モジュール１６０が、ステップＳ４０４で認識した印影画像オブジェクトを生成する。
ステップＳ４１４では、カプセル化電子文書作成モジュール１７０が、ステップＳ４１０で決定されたポリシー、ステップＳ４１２で生成された印影画像オブジェクト、画像から印影画像を削除した画像に基づいて、カプセル化電子文書を作成する。なお、図８（ａ）の例に示す画像５００から印影画像５０１を削除した画像７００を、図８（ｂ）の例に示す。そして、カプセル化電子文書内の画像として、図８（ｃ）の例に、画像７００と印影画像オブジェクト８１０を示す。
【００４６】
ステップＳ４１６では、カプセル化電子文書作成モジュール１７０が、ポリシーサーバ３２０にカプセル化電子文書に関する情報を登録する。例えば、ポリシーサーバ３２０内のポリシー・文書対応テーブル１４００に画像の識別子とポリシーＩＤを対応させて記憶する。図１４は、ポリシー・文書対応テーブル１４００のデータ構造例を示す説明図である。ポリシー・文書対応テーブル１４００は、文書ＩＤ欄１４１０、ポリシーＩＤ欄１４２０を有している。
文書ＩＤ欄１４１０は、画像（受け付けた画像から印影画像を削除した画像）の識別子（文書ＩＤ）を記憶している。なお、この文書ＩＤは、カプセル化電子文書の識別子でもある。
ポリシーＩＤ欄１４２０は、その画像に対応するポリシーＩＤを記憶している。
つまり、これによって、カプセル化電子文書が作成されたことになる。ポリシー・文書対応テーブル１４００によって、受け付けた画像から印影画像を削除した画像に対応するポリシーＩＤが確定し、ポリシーテーブル１３００によって、そのポリシーＩＤからポリシーの内容とそのポリシーに対応する印影画像が確定する。また、画像内の印影画像の位置（受け付けた画像内にあった位置）、印影画像認識モジュール１２０で認識された印影画像をポリシー・文書対応テーブル１４００内に記憶させてもよい。
【００４７】
ステップＳ４１８では、カプセル化電子文書作成モジュール１７０が、ログサーバ３４０内のログテーブル１６００にカプセル化電子文書を作成したことのログを格納する。図１６は、ログテーブル１６００のデータ構造例を示す説明図である。ログテーブル１６００は、日時欄１６１０、ＵｓｅｒＩＤ欄１６２０、操作欄１６３０、文書ＩＤ欄１６４０、結果欄１６５０、追加情報欄１６６０を有している。
日時欄１６１０は、その操作が行われた日時を記憶している。ただし、年月、分秒を含んでいてもよく、これらのうちのいくつかの組み合わせであってもよい。
ＵｓｅｒＩＤ欄１６２０は、その操作を行った操作者のユーザＩＤを記憶している。なお、ユーザＩＤは、その操作者が画像処理装置３１０又はクライアントＰＣ３３０を利用する場合に、ログイン処理（ＩＣカードの読み取り処理、ログインＩＤとパスワードの照合処理等）によって取得されるものである。
操作欄１６３０は、カプセル化電子文書に対する操作を記憶している。例えば、閲覧、編集、作成等がある。
文書ＩＤ欄１６４０は、文書ＩＤを記憶している。
結果欄１６５０は、その操作の結果（例えば、成功、失敗等）を記憶している。
追加情報欄１６６０は、その他の追加情報（例えば、操作の結果が失敗だった場合の原因等）を記憶している。
ステップＳ４２０では、出力モジュール１８０が、カプセル化電子文書をポリシーサーバ３２０に登録する。
【００４８】
図９は、第１の実施の形態（合成文書出力装置）による処理例を示すフローチャートである。
ステップＳ９０２では、画像出力要求受付モジュール２１０が、カプセル化電子文書の出力要求を受け付ける。
図１１は、第１の実施の形態（合成文書出力装置）による処理例を示す説明図である。図１１（ａ）の例（図８（ｃ）の例に対応）に、カプセル化電子文書の画像を示す。画像７００には印影画像オブジェクト８１０が対応付けられている。もちろん、印影画像オブジェクト８１０に対応するポリシーも対応付けられている。
【００４９】
ステップＳ９０４では、復号モジュール２２０が、カプセル化電子文書におけるカプセルを復号して、対応付けられているポリシーを取得する。より具体的な例として、ポリシー・文書対応テーブル１４００を用いて、カプセル化電子文書の文書ＩＤからポリシーＩＤを取得して、ポリシーテーブル１３００を用いて、ポリシーＩＤに対応するポリシーの内容を取得する。
ステップＳ９０６では、情報画像生成モジュール２３０が、ポリシーに関する情報を表す情報画像を生成する。
【００５０】
ステップＳ９０８では、情報画像合成モジュール２４０が、カプセル化電子文書に対応付けられた画像に、情報画像を合成する。
図１０は、情報画像をそのまま合成した場合の画像の一例を示す説明図である。つまり、印影画像を削除せずに、図１の例に示したカプセル化文書作成装置が受け付けた画像（印影画像が含まれている画像）に、そのまま情報画像を合成した例である。このように、印影画像オブジェクト８１０と情報画像１０１０が重なり合ってしまうことが生じてしまう。
図１１（ｂ）の例に示すように、カプセル化電子文書から画像７００のみを取り出し、その画像７００内の空白領域に、図１１（ｃ）の例に示すように、情報画像１０１０、情報画像１０２０を合成する。ここでは、２つの情報画像を合成している例である。
【００５１】
ステップＳ９１０では、印影画像オブジェクト合成モジュール２５０が、さらに、印影画像を合成する。
図１１（ｄ）の例に示すように、図１１（ｃ）の例に示す状態内で空白領域を見つけ出し、印影画像オブジェクト８１０を合成する。
また、図１２の例に示すような合成を行ってもよい。図１２は、印影画像オブジェクト１２１０を透過処理して合成した画像の一例を示す説明図である。画像１２００には、情報画像１２２０、情報画像１２３０が合成され、印影画像オブジェクト１２１０を透過合成している。したがって、画像１２００内の画像が画像１２1０の下に見えることになる。
【００５２】
ステップＳ９１２では、画像提示モジュール２６０が、情報画像と印影画像が合成された画像を提示する。
ステップＳ９１４では、画像確認受付モジュール２７０が、操作者による確認結果（出力する画像として妥当であるか否か）を受け付ける。
ステップＳ９１６では、画像確認モジュール２８０が、確認結果に基づいて、その画像を出力するか否かを判断する。出力する場合はステップＳ９１８へ進み、それ以外の場合は合成する印影画像の変更を行うためにステップＳ９１０へ戻る。
ステップＳ９１８では、画像出力モジュール２９０が、情報画像と印影画像が合成された画像を出力（印刷）する。
【００５３】
図１７は、第２の実施の形態（合成文書出力装置）の構成例についての概念的なモジュール構成図を示している。図１の例に示した画像処理装置によって作成されたカプセル化電子文書に情報画像を付加して出力（例えば、印刷）するものであって、図１７に示すように、画像出力要求受付モジュール２１０、復号モジュール２２０、ポリシー取得モジュール１７１０、ポリシー比較モジュール１７２０、印影画像取得モジュール１７３０、情報画像生成モジュール２３０、情報画像合成モジュール２４０、印影画像オブジェクト合成モジュール２５０、画像提示モジュール２６０、画像確認受付モジュール２７０、画像確認モジュール２８０、画像出力モジュール２９０を有している。なお、第１の実施の形態（合成文書出力装置）と同種のモジュールには同一符号を付し重複した説明を省略する。ただし、同一符号のものであっても、第１の実施の形態（合成文書出力装置）のものとは異なる処理又は付加する処理については説明する。
【００５４】
復号モジュール２２０は、画像出力要求受付モジュール２１０、ポリシー取得モジュール１７１０、ポリシー比較モジュール１７２０と接続されており、取得したポリシーをポリシー比較モジュール１７２０に渡す。次に、ポリシー取得モジュール１７１０による処理を行う。
ポリシー取得モジュール１７１０は、復号モジュール２２０、ポリシー比較モジュール１７２０と接続されている。復号モジュール２２０の次に処理を行い、画像出力要求受付モジュール２１０が受け付けたカプセル化電子文書に対応している印影画像（カプセル化電子文書を作成した当初の印影画像）を取得する。例えば、ポリシー・文書対応テーブル１４００に文書ＩＤに対応して印影画像を記憶している場合、ポリシー・文書対応テーブル１４００から印影画像を取得する。そして、その印影画像に対応するポリシーを取得する。例えば、図１の例に示した印影画像認識モジュール１２０と同等のこと（印影画像を認識して、その認識結果からポリシーを決定すること）を行う。
なお、復号モジュール２２０とポリシー取得モジュール１７１０は、いずれが先に処理を行ってもよいし、並列して処理を行うようにしてもよい。
【００５５】
ポリシー比較モジュール１７２０は、復号モジュール２２０、ポリシー取得モジュール１７１０、印影画像取得モジュール１７３０と接続されている。復号モジュール２２０から受け取ったポリシー（ポリシー・文書対応テーブル１４００とポリシーテーブル１３００を用いて取得された現在のポリシー）とポリシー取得モジュール１７１０から受け取ったポリシー（カプセル化電子文書に対応している印影画像に対応するポリシー、つまり、図１の例に示したカプセル化文書作成装置によって作成されたカプセル化電子文書に対応付けられた当初の印影画像に対応するポリシー）を比較する。ポリシーが異なることが発生する場合として、例えば、クライアントＰＣ３３０で、操作者の操作によって、カプセル化電子文書の当初のポリシーが変更される場合がある。そして、その判断結果（異なるか否か）を印影画像取得モジュール１７３０に渡す。
【００５６】
印影画像取得モジュール１７３０は、ポリシー比較モジュール１７２０、情報画像生成モジュール２３０と接続されており、ポリシー比較モジュール１７２０による比較の結果、印影画像（カプセル化電子文書に対応している印影画像）とポリシー（復号モジュール２２０から受け取ったポリシー）が対応していない場合は、復号モジュール２２０によって取得されたポリシーに基づいて印影画像を生成する。例えば、ポリシーテーブル１３００からポリシーに対応するスタンプＩＤを得て、そのスタンプＩＤからスタンプテーブル１５００の参照用スタンプ画像ファイル欄１５２０によって印影画像を取得する。印影画像（カプセル化電子文書に対応している印影画像）とポリシー（復号モジュール２２０から受け取ったポリシー）が対応している場合は、復号モジュール２２０によって取得された印影画像（つまり、カプセル化電子文書に対応している印影画像）を取得する。なお、この場合であっても、復号モジュール２２０によって取得されたポリシーに基づいて印影画像を生成するようにしてもよい。ポリシーは対応しているので（当初のポリシーから変更されていないので）、カプセル化電子文書に対応している印影画像をそのまま用いてもよいし、カプセル化電子文書に対応しているポリシーに基づいて生成する印影画像であってもよい。
【００５７】
印影画像オブジェクト合成モジュール２５０は、情報画像合成モジュール２４０、画像提示モジュール２６０、画像確認モジュール２８０と接続されており、印影画像取得モジュール１７３０によって生成された印影画像を、情報画像合成モジュール２４０によって情報画像が合成された画像にさらに合成する。
【００５８】
図１８は、第２の実施の形態（合成文書出力装置）による処理例を示すフローチャートである。
ステップＳ１８０２では、画像出力要求受付モジュール２１０が、カプセル化電子文書の出力要求を受け付ける。
図１９は、第２の実施の形態（合成文書出力装置）による処理例を示す説明図である。
図１９（ａ）に、カプセル化電子文書の画像を示す。画像１９００には印影画像オブジェクト１９１０が対応付けられている。もちろん、ポリシーも対応付けられている。
ステップＳ１８０４では、図９の例に示したステップＳ９０４と同等の処理を行う。
【００５９】
ステップＳ１８０６では、ポリシー取得モジュール１７１０が、ステップＳ１８０２で受け付けたカプセル化電子文書に対応している印影画像（カプセル化電子文書を作成した当初の印影画像）を取得して、その印影画像に対応するポリシーを取得する。
ステップＳ１８０８では、ポリシー比較モジュール１７２０が、ステップＳ１８０６で取得したポリシーとステップＳ１８０４で復号したカプセル化電子文書のポリシーとを比較する。
ステップＳ１８１０では、ポリシー比較モジュール１７２０が、ステップＳ１８０８での比較の結果、整合性がある場合（２つのポリシーが同じ場合）はステップＳ１８１４へ進み、それ以外の場合はステップＳ１８１２へ進む。
ステップＳ１８１２では、印影画像取得モジュール１７３０が、ステップＳ１８０４でカプセル化電子文書を復号して得たポリシーに基づいて印影画像を取得する。
ステップＳ１８１４では、印影画像取得モジュール１７３０が、ステップＳ１８０４でカプセル化電子文書を復号して得た印影画像を取得する。
【００６０】
ステップＳ１８１６、ステップＳ１８１８では、図９の例に示したステップＳ９０６、ステップＳ９０８と同等の処理を行う。なお、ステップＳ１８１８では、図１９（ｂ）の例に示すように、カプセル化電子文書から画像１９００のみを取り出し、その画像１９００内の空白領域に、図１９（ｃ）の例に示すように、情報画像１９２０、情報画像１９３０を合成する。ここでは、２つの情報画像を合成している例である。
【００６１】
ステップＳ１８２０では、印影画像オブジェクト合成モジュール２５０が、ステップＳ１８１６で情報画像が合成された画像に、さらに、印影画像を合成する。合成する印影画像としては、ステップＳ１８１０でＹｅｓの場合はステップＳ１８１４で取得した印影画像を用い、ステップＳ１８１０でＮｏの場合はステップＳ１８１２で取得した印影画像を用いる。図１９（ｄ）の例に示すように、図１９（ｃ）の例に示す状態内で空白領域を見つけ出し、印影画像オブジェクト１９４０を合成する。なお、印影画像オブジェクト１９４０は、ステップＳ１８１０でＮｏとなり、ステップＳ１８１２で取得した印影画像であり、画像１９００に対応付けられた印影画像オブジェクト１９１０とは異なるものである。
ステップＳ１８２２からステップＳ１８２８までは、図９の例に示したステップＳ９１２からステップＳ９１８までと同等の処理を行う。
【００６２】
図２０を参照して、本実施の形態（第１の実施の形態、第２の実施の形態）の画像処理装置３１０、ポリシーサーバ３２０、クライアントＰＣ３３０、ログサーバ３４０のハードウェア構成例について説明する。図２０に示す構成は、例えばパーソナルコンピュータ（ＰＣ）などによって構成されるものであり、スキャナ等のデータ読み取り部２０１７と、プリンタなどのデータ出力部２０１８を備えたハードウェア構成例を示している。
【００６３】
ＣＰＵ（Ｃｅｎｔｒａｌ  Ｐｒｏｃｅｓｓｉｎｇ  Ｕｎｉｔ）２００１は、前述の実施の形態において説明した各種のモジュール、すなわち、印影画像認識モジュール１２０、カプセル化電子文書作成モジュール１７０、復号モジュール２２０、印影画像オブジェクト合成モジュール２５０、ポリシー取得モジュール１７１０等の各モジュールの実行シーケンスを記述したコンピュータ・プログラムにしたがった処理を実行する制御部である。
【００６４】
ＲＯＭ（Ｒｅａｄ  Ｏｎｌｙ  Ｍｅｍｏｒｙ）２００２は、ＣＰＵ２００１が使用するプログラムや演算パラメータ等を格納する。ＲＡＭ（Ｒａｎｄｏｍ  Ａｃｃｅｓｓ  Ｍｅｍｏｒｙ）２００３は、ＣＰＵ２００１の実行において使用するプログラムや、その実行において適宜変化するパラメータ等を格納する。これらはＣＰＵバスなどから構成されるホストバス２００４により相互に接続されている。
【００６５】
ホストバス２００４は、ブリッジ２００５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス２００６に接続されている。
【００６６】
キーボード２００８、マウス等のポインティングデバイス２００９は、操作者により操作される入力デバイスである。ディスプレイ２０１０は、液晶表示装置又はＣＲＴ（Ｃａｔｈｏｄｅ  Ｒａｙ  Ｔｕｂｅ）などがあり、各種情報をテキストやイメージ情報として表示する。
【００６７】
ＨＤＤ（Ｈａｒｄ  Ｄｉｓｋ  Ｄｒｉｖｅ）２０１１は、ハードディスクを内蔵し、ハードディスクを駆動し、ＣＰＵ２００１によって実行するプログラムや情報を記録又は再生させる。ハードディスクには、受け付けられた印影付き画像、印影画像、ポリシーテーブル１３００などが格納される。さらに、その他の各種のデータ処理プログラム等、各種コンピュータ・プログラムが格納される。
【００６８】
ドライブ２０１２は、装着されている磁気ディスク、光ディスク、光磁気ディスク、又は半導体メモリ等のリムーバブル記録媒体２０１３に記録されているデータ又はプログラムを読み出して、そのデータ又はプログラムを、インタフェース２００７、外部バス２００６、ブリッジ２００５、及びホストバス２００４を介して接続されているＲＡＭ２００３に供給する。リムーバブル記録媒体２０１３も、ハードディスクと同様のデータ記録領域として利用可能である。
【００６９】
接続ポート２０１４は、外部接続機器２０１５を接続するポートであり、ＵＳＢ、ＩＥＥＥ１３９４等の接続部を持つ。接続ポート２０１４は、インタフェース２００７、及び外部バス２００６、ブリッジ２００５、ホストバス２００４等を介してＣＰＵ２００１等に接続されている。通信部２０１６は、ネットワークに接続され、外部とのデータ通信処理を実行する。データ読み取り部２０１７は、例えばスキャナであり、ドキュメントの読み取り処理を実行する。データ出力部２０１８は、例えばプリンタであり、ドキュメントデータの出力処理を実行する。
【００７０】
なお、図２０に示すハードウェア構成は、１つの構成例を示すものであり、本実施の形態は、図２０に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）等）で構成してもよく、一部のモジュールは外部のシステム内にあり通信回線で接続しているような形態でもよく、さらに図２０に示すシステムが複数互いに通信回線によって接続されていて互いに協調動作するようにしてもよい。また、画像処理装置３１０はもちろんのこと、ポリシーサーバ３２０、クライアントＰＣ３３０、ログサーバ３４０も複写機、ファックス、スキャナ、プリンタ、複合機などに組み込まれていてもよい。
【００７１】
前記実施の形態においては、１枚の画像に印影画像が含まれている場合を示したが、複数枚の連続する画像であり、最初の画像に印影画像が含まれており、その印影画像に基づいて、複数枚の画像（最初の画像、そして、それに連続する画像であって、印影画像が含まれていない画像）にポリシーを付与するようにしてもよい。
【００７２】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通などのために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ  Ｄｉｓｃ（登録商標））、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ）、フラッシュ・メモリ、ランダム・アクセス・メモリ（ＲＡＭ）等が含まれる。
そして、前記のプログラム又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、あるいは無線通信ネットワーク、さらにこれらの組み合わせ等の伝送媒体を用いて伝送させてもよく、また、搬送波に乗せて搬送させてもよい。
さらに、前記のプログラムは、他のプログラムの一部分であってもよく、あるいは別個のプログラムと共に記録媒体に記録されていてもよい。また、複数の記録媒体に分割して
記録されていてもよい。また、圧縮や暗号化など、復元可能であればどのような態様で記録されていてもよい。
【図面の簡単な説明】
【００７３】
【図１】第１の実施の形態（カプセル化文書作成装置）の構成例についての概念的なモジュール構成図である。
【図２】第１の実施の形態（合成文書出力装置）の構成例についての概念的なモジュール構成図である。
【図３】本実施の形態を実現するためのシステム構成例を示す説明図である。
【図４】第１の実施の形態（カプセル化文書作成装置）による処理例を示すフローチャートである。
【図５】印影付き画像の一例を示す説明図である。
【図６】印影画像の一例を示す説明図である。
【図７】印影付き画像から印影画像を削除した画像の一例を示す説明図である。
【図８】第１の実施の形態（カプセル化文書作成装置）による処理例を示す説明図である。
【図９】第１の実施の形態（合成文書出力装置）による処理例を示すフローチャートである。
【図１０】情報画像をそのまま合成した場合の画像の一例を示す説明図である。
【図１１】第１の実施の形態（合成文書出力装置）による処理例を示す説明図である。
【図１２】印影画像オブジェクトを透過処理して合成した画像の一例を示す説明図である。
【図１３】ポリシーテーブルのデータ構造例を示す説明図である。
【図１４】ポリシー・文書対応テーブルのデータ構造例を示す説明図である。
【図１５】スタンプテーブルのデータ構造例を示す説明図である。
【図１６】ログテーブルのデータ構造例を示す説明図である。
【図１７】第２の実施の形態（合成文書出力装置）の構成例についての概念的なモジュール構成図である。
【図１８】第２の実施の形態（合成文書出力装置）による処理例を示すフローチャートである。
【図１９】第２の実施の形態（合成文書出力装置）による処理例を示す説明図である。
【図２０】本実施の形態を実現するコンピュータのハードウェア構成例を示すブロック図である。
【符号の説明】
【００７４】
１１０…画像受付モジュール
１２０…印影画像認識モジュール
１３０…対応ポリシー提示モジュール
１４０…ポリシー確認受付モジュール
１５０…ポリシー確認モジュール
１６０…印影画像オブジェクト生成モジュール
１７０…カプセル化電子文書作成モジュール
１８０…出力モジュール
２１０…画像出力要求受付モジュール
２２０…復号モジュール
２３０…情報画像生成モジュール
２４０…情報画像合成モジュール
２５０…印影画像オブジェクト合成モジュール
２６０…画像提示モジュール
２７０…画像確認受付モジュール
２８０…画像確認モジュール
２９０…画像出力モジュール
３１０…画像処理装置
３２０…ポリシーサーバ
３３０…クライアントＰＣ
３４０…ログサーバ
３９０…通信回線
１７１０…ポリシー取得モジュール
１７２０…ポリシー比較モジュール
１７３０…印影画像取得モジュール
【図１】
2010147923.tif 000003
【図２】
2010147923.tif 000004
【図３】
2010147923.tif 000005
【図４】
2010147923.tif 000006
【図５】
2010147923.tif 000007
【図６】
2010147923.tif 000008
【図７】
2010147923.tif 000009
【図８】
2010147923.tif 000010
【図９】
2010147923.tif 000011
【図１０】
2010147923.tif 000012
【図１１】
2010147923.tif 000013
【図１２】
2010147923.tif 000014
【図１３】
2010147923.tif 000015
【図１４】
2010147923.tif 000016
【図１５】
2010147923.tif 000017
【図１６】
2010147923.tif 000018
【図１７】
2010147923.tif 000019
【図１８】
2010147923.tif 000020
【図１９】
2010147923.tif 000021
【図２０】
2010147923.tif 000022